(57)【特許請求の範囲】
【請求項１】
磁界の変化が所定の周期で生じるように移動体の移動方向に沿って帯状に形成される磁性層が熱可塑ポリエステル材料で作られる母材上に形成される被検出部と、
前記被検出部の磁性層の磁界の周期的な変化を検出し、検出出力を送出する検出部と、
前記検出部からの検出出力に基づいて所定の信号処理を行い前記移動体の移動に同期した信号を形成する信号処理部と、
前記被検出部の一対の外表面のうち一方の外表面または双方の外表面を、フッ素樹脂を含む材料で被覆する被覆層と、
前記母材と前記被覆層との間に形成され、該被覆層の該母材に対する剥離強度を増すプライマ層と、を備え、
前記プライマ層は、エポキシ樹脂、顔料、エチレングリコールモノメチルエーテル、メチルエチルケトン、トルエン、キシレン、エチレングリコールモノエチルアセテート、エチレングリコールモノエチルエーテルが、それぞれ、２０〜３０（％）、１〜１０（％）、２５〜３５（％）、１０〜２０（％）、１０〜２０（％）、１〜１０（％）、１〜１０（％）、１〜１０（％）含まれるプライマ剤と、ポリアミド樹脂、エチレングリコールモノメチルエーテル、トルエン、キシレン、イソプロピルアルコールが、それぞれ、２０〜３０（％）、４５〜５５（％）、５〜１５（％）、５〜１５（％）、５〜１５（％）含まれるプライマ剤とが４：１の割合で混合されたものによって形成されることを特徴とするエンコーダ装置。
【請求項２】
前記被覆層が、加えて撥水性を有することを特徴とする請求項１記載のエンコーダ装置。
【請求項３】
前記移動体に選択的に搭載され記録媒体の記録面に対して対向配置されて該記録面に対して記録動作を行う記録ヘッドと、
前記移動体を前記記録媒体の記録面に対して相対的に移動させる移動体駆動部と、
前記請求項１に記載のエンコーダ装置と、
前記記録媒体の記録面に形成されるべき記録情報および前記エンコーダ装置からの信号に基づいて前記移動体駆動部により前記移動体とともに移動せしめられる前記記録ヘッドに記録動作を行わせる記録動作制御部と、
を具備して構成される画像形成装置。
【請求項４】
前記記録ヘッドは、インクジェット記録ヘッドであることを特徴とする請求項３記載の画像形成装置。
【請求項５】
前記記録ヘッドは、インクを加熱する電気熱変換体を有することを特徴とする請求項４記載の画像形成装置。
【請求項６】
前記エンコーダ装置の検出部が、前記移動体に設けられることを特徴とする請求項３記載の画像形成装置。
【請求項７】
前記エンコーダ装置の被検出部は、前記移動体の移動方向に沿って形成される磁気フィルムであることを特徴とする請求項３記載の画像形成装置。
【発明の詳細な説明】
【０００１】
【発明の属する技術分野】
本発明は、移動体の移動状態を検出するエンコーダ装置、および、エンコーダ装置からの信号に基づいて記録媒体の記録面に対して記録動作を行う記録ヘッドを備える画像形成装置に関する。
【０００２】
【従来の技術】
画像形成装置は、例えば、インクジェット記録装置の場合、記録ヘッドを伴うキャリッジ部材の移動状態を検出し検出出力信号を送出するエンコーダ装置を備えている。
【０００３】
エンコーダ装置は、例えば、磁気式の場合、キャリッジ部材の移動方向に沿って配されＮ極およびＳ極の磁界が交互に表面上に形成される被検出面を有する被検出部と、キャリッジ部材において被検出部に対向する部分に配されキャリッジ部材の被検出部に対する相対的な移動に応じた磁界の変化を検出し、検出出力信号を送出する検出部と、検出部からの検出出力信号に所定の信号処理を行いキャリッジ部材の移動に同期した信号を形成する信号処理部とを含んで構成されている。
【０００４】
所定の長さおよび厚さを有する磁気フィルム８とされる被検出部は、その両端部がそれぞれ、装置内の支持部材により支持されている。また、被検出部は、キャリッジ部材に設けられるスリット状の貫通孔に挿入されている。その貫通孔の周縁部の一方側には、検出部１０が配置されている。
【０００５】
磁気フィルム８は、図８に示されるように、その保護層６における検出部１０に対向する表面が装置本体の上下方向に対して略直交する方向に広がるように配置されている。これは、装置本体の高さをより低くして装置の小型化を図るためである。
【０００６】
磁気フィルム８は、熱可塑ポリエステルで成形される母材層２と、母材層２における検出部１０に対向する側の表面上に形成される磁石層４と、磁石層４の外表面を被覆する保護層６とを含んで構成されている。
【０００７】
母材層２と磁石層４とは、接着剤が介在されることにより互いに接着されている。その磁石層４には、キャリッジ部材の移動方向、即ち、長手方向に沿って異なる磁極が交互に配列、例えば、Ｎ極とＳ極とが交互に形成されるように磁界が形成されている。
【０００８】
従って、キャリッジ部材が磁気フィルム８に対して相対的に移動される場合、キャリッジ部材に設けられる検出部１０は、キャリッジ部材の移動に応じたＮ極とＳ極との磁極の変化を検出することとなる。
【０００９】
耐摩耗性を有する保護層６は、例えば、ポリウレタンで硬化処理されて形成され、磁石層４を被覆している。
【００１０】
【発明が解決しようとする課題】
しかし、上述のように磁気フィルム８が配置される場合、装置本体内に浮遊されるインクミストおよび塵等がその保護層６上に付着し溜まりやすいという不都合がある。そして、検出部１０の検出面と磁気フィルム８の保護層６との隙間、および、母材層２の表面とキャリッジ部材との隙間が比較的小、例えば、０．０３〜０．１（ｍｍ）程度であるので付着したインクミストおよび塵が検出部１０の移動に伴ってその隙間に侵入された場合、検出部１０およびキャリッジ部材の円滑な移動が阻害されるとともに磁気フィルム８の母材層２が不所望に摩耗することとなる。
【００１１】
以上の問題点を考慮し、本発明は、移動体の移動状態を検出するエンコーダ装置、および、エンコーダ装置からの信号に基づいて記録媒体の記録面に対して記録動作を行う記録ヘッドを備える画像形成装置であって、エンコーダ装置の各構成要素の配置を変更することなく、被検出部の耐摩耗性、撥水性、および、摺動性を向上させることができるエンコーダ装置、および、それが用いられる画像形成装置を提供することを目的とする。
【００１２】
【課題を解決するための手段】
上述の目的を達成するために、本発明に係るエンコーダ装置は、磁界の変化が所定の周期で生じるように移動体の移動方向に沿って帯状に形成される磁性層が熱可塑ポリエステル材料で作られる母材上に形成される被検出部と、被検出部の磁性層の磁界の周期的な変化を検出し、検出出力を送出する検出部と、検出部からの検出出力に基づいて所定の信号処理を行い移動体の移動に同期した信号を形成する信号処理部と、被検出部の一対の外表面のうち一方の外表面または双方の外表面を、フッ素樹脂を含む材料で被覆する被覆層と、母材と被覆層との間に形成され、被覆層の該母材に対する剥離強度を増すプライマ層と、を備え、プライマ層は、エポキシ樹脂、顔料、エチレングリコールモノメチルエーテル、メチルエチルケトン、トルエン、キシレン、エチレングリコールモノエチルアセテート、エチレングリコールモノエチルエーテルが、それぞれ、２０〜３０（％）、１〜１０（％）、２５〜３５（％）、１０〜２０（％）、１０〜２０（％）、１〜１０（％）、１〜１０（％）、１〜１０（％）含まれるプライマ剤と、ポリアミド樹脂、エチレングリコールモノメチルエーテル、トルエン、キシレン、イソプロピルアルコールが、それぞれ、２０〜３０（％）、４５〜５５（％）、５〜１５（％）、５〜１５（％）、５〜１５（％）含まれるプライマ剤とが４：１の割合で混合されたものによって形成されることを特徴とする。
【００１３】
本発明に係る画像形成装置は、移動体に選択的に搭載され記録媒体の記録面に対して対向配置されて記録面に対して記録動作を行う記録ヘッドと、移動体を記録媒体の記録面に対して相対的に移動させる移動体駆動部と、上述のエンコーダ装置と、記録媒体の記録面に形成されるべき記録情報およびエンコーダ装置からの信号に基づいて移動体駆動部により移動体とともに移動せしめられる記録ヘッドに記録動作を行わせる記録動作制御部とを備えて構成される。
【００１４】
【発明の実施の形態】
図２、図３、および図４は、本発明に係る画像形成装置の一例の概略の構成を示す。
図２および図３において、画像形成装置の一例は、例えば、インクジェット記録装置とされる。インクジェット記録装置は、筺体２０における背面側上部に設けられる支持台２０ａ上に設けられる自動給紙装置４８と、自動給紙装置４８から送出された用紙Ｐａが搬送される搬送路に設けられその用紙Ｐａを後述する記録ヘッド２６に対向する所定位置まで断続的に送る送りローラ３６と、送りローラ３６により送られる印刷された用紙Ｐａ′をピンチローラ２８Ａおよび２８Ｂと協働して狭持し排紙トレー４３上に排出する複数の拍車３０と、用紙Ｐａの搬送方向に対して略直交する方向に沿って往復動せしめられるキャリッジ部材２２と、キャリッジ部材２２に着脱可能に搭載され用紙Ｐａの記録面に対して記録動作を行う記録ヘッド２６を有するインクカートリッジ２７とを主な要素として含んで構成されている。
【００１５】
自動給紙装置４８は、支持台２０ａの上面に対して所定の角度で傾けられて所定の規格サイズの複数枚の用紙Ｐａが積載収容される収容容器４８Ｓと、収容容器４８Ｓにおける最上端の用紙Ｐａに接触され、それを１枚ずつ送出する複数のピックアップローラ４４と、収容容器４８Ｓの底部を用紙Ｐａとともにピックアップローラ４４に向けて付勢するコイルスプリング４２と、図示が省略されるがピックアップローラ４４を回動させる自動給紙用モータ９２とを含んで構成されている。
【００１６】
回転軸４４ａは、用紙Ｐａの搬送方向に対して略直交する方向に延びている。その回転軸４４ａの両端部は、それぞれ、筺体２０に回動可能に支持されている。後述する動力伝達切換機構４６を介して連結される出力軸を有する自動給紙用モータ９２は、後述する制御ユニット８０からの制御データに基づいて制御される。
【００１７】
送りローラ３６は、両端部が筺体２０のフレーム部材２０Ｆに回動可能に支持される回転軸３６ａに固定されている。その回転軸３６ａの一端には、後述する搬送用モータ９４の出力軸に連結されている。搬送用モータ９４は、後述する制御ユニット８０からの制御データに基づいて制御される。
【００１８】
搬送用モータ９４が作動状態とされるとき、筺体２０の底部における送りローラ３６の周囲に設けられる湾曲面部と送りローラ３６の外周面との間に案内される用紙Ｐａは、送りローラ３６とピンチローラ３２とにより協働して狭持されて、記録ヘッド２６の記録動作に応じて断続的に搬送路の下流側の記録ヘッド２６に向かって搬送されることとなる。
【００１９】
また、送りローラ３６の周囲に設けられる湾曲面部近傍には、送りローラ３６およびピンチローラ３２を臨んで一端が開口する手差し挿入通路３８が設けられている。その手差し挿入通路３８の他端は、外部に開口している。
【００２０】
これにより、用紙Ｐａｄが手差し挿入通路３８の他端を通じて挿入される場合、搬送用モータ９４が作動状態とされることにより、用紙Ｐａｄは、手差し挿入通路３８に案内されて送りローラ３６およびピンチローラ３２により狭持されて記録ヘッド２６の記録動作に応じて断続的に搬送路の下流側の記録ヘッド２６に向かって搬送されることとなる。
【００２１】
支持台２０ａの下方の位置には、連続紙Ｐａｃを連続して送りローラ３６およびピンチローラ３２を介して記録ヘッド２６に向かって搬送するトラクタ機構部５０が設けられている。
【００２２】
トラクタ機構部５０は、連続紙Ｐａｃを連続して搬送する一対の搬送ベルト５２と、連続紙Ｐａｃの搬送方向に対して略直交する方向の位置を規制する一対の位置規制部材５６Ａおよび５６Ｂと、位置規制部材５６Ａおよび５６Ｂの各透孔５６ａおよび５６ｂに摺動可能に嵌合され位置規制部材５６Ａおよび５６Ｂを支持する支持軸５４Ａおよび５４Ｂと、一対の搬送ベルト５２を選択的に回転駆動させる動力伝達切換機構４６とを含んで構成されている。
【００２３】
一対の搬送ベルト５２は、それぞれ、連続紙Ｐａｃにおける搬送方向に沿った両端部にそれぞれ所定の間隔をもって設けられる各透孔に係合される係合ピンを複数を有している。搬送ベルト５２は、支持台２０ａと筺体２０との間の空間に形成される搬送路の両端部に相対向してそれぞれ、設けられている。搬送ベルト５２は、その内側の係合部が動力伝達切換機構４６の歯車列に噛み合わされている。
【００２４】
動力伝達切換機構４６は、歯車列およびその歯車列に連結される操作レバー４６ａを主要な要素として含んで構成されている。
【００２５】
動力伝達切換機構４６は、操作レバー４６ａが例えば、矢印Ｔの示す方向に操作される場合、その構成される１つの歯車が選択的に搬送ベルト５２に噛み合わされる歯車、および、自動給紙用モータ９２の出力側に連結される歯車に噛み合わされることにより、自動給紙用モータ９２の回動力を搬送ベルト５２に伝達し、一方、動力伝達切換機構４６は、操作レバー４６ａが矢印Ｔの示す方向とは反対方向に操作される場合、その構成される１つの歯車が搬送ベルト５２に噛み合わされる歯車に噛み合わないことにより、自動給紙用モータ９２の回動力を搬送ベルト５２に伝達させない。
【００２６】
支持軸５４Ａおよび５４Ｂは、互いに平行に配されている。支持軸５４Ａおよび５４Ｂの両端部は、それぞれ、フレーム部材２０Ｆに支持されている。
【００２７】
キャリッジ部材２２の基部の透孔２２ａには、ガイドシャフト２４が摺動可能に嵌合されている。ガイドシャフト２４の両端部は、それぞれ、フレーム部材２０Ｆに支持されている。また、キャリッジ部材２２の基部の前方の端部は、スライド部材６０を介してガイドレール２５により摺動可能に支持されている。ガイドレール２５の両端部は、それぞれ、フレーム部材２０Ｆに固定されている。
【００２８】
さらに、キャリッジ部材２２は、図４に示されるように、ガイドシャフト２４の軸線に沿って平行に配されるベルト４０に連結されている。そのベルト４０は、相対向して配置される回転軸５８に固定される２個のプーリ５７に巻装されている。そのプーリ５７の一方を支持する回転軸には、後述するキャリッジ用モータ９６の出力軸が連結されている。キャリッジ用モータ９６は、後述する制御ユニット８０からの制御データに基づいて制御される。これにより、キャリッジ用モータ９６が作動状態とされ、出力軸が時計回り方向または反時計回り方向に回転される場合、キャリッジ部材２２がガイドシャフト２４およびガイドレール２５に案内されて往復動せしめられることとなる。
【００２９】
インクカートリッジ２７は、記録ヘッド２６と、記録ヘッド２６に供給される所定の色のインクが貯留されるインクタンクとを含んで構成されている。記録ヘッド２６は、例えば、バブルジェット式のインクジェットヘッドとされ、既知の構造を有するものとされる。記録ヘッド２６における用紙Ｐａの記録面に対向する部分には、インクを吐出するインク吐出口が用紙Ｐａの搬送方向に沿って複数個配列されるインク吐出口形成面が形成されている。各インク吐出口に連通する各流路には、インクを加熱し吐出させる電気熱変換素子としてのヒータがそれぞれ設けられている。
【００３０】
搬送路におけるインクカートリッジ２７の記録ヘッド２６に対向する部分には、搬送される用紙Ｐａの記録面を平坦な状態に維持するプラテン部材６２が配されている。プラテン部材６２の両端部は、図２および図３に示されるように、フレーム部材２０Ｆにより支持されている。プラテン部材６２は、各ローラ部材６４の外周面の一部がそれぞれ露出される開口部６２ａを所定の間隔をもってガイドシャフト２４の軸線に沿って有している。
【００３１】
各ローラ部材６４は、印刷された用紙Ｐａ’を排紙トレー４３上に排出する拍車３０と送りローラ３６との間に配される回転軸６４ａに所定の相互間隔をもって固定されている。回転軸６４ａの両端部は、それぞれ、フレーム部材２０Ｆにより回動可能に支持されている。
【００３２】
各ローラ部材６４には、それぞれ、その外周面に接触するピンチローラ６６が対向配置されている。ピンチローラ６６の両端部も、それぞれ、フレーム部材２０Ｆに回動可能に支持されている。従って、印刷された用紙Ｐａ′は、拍車３０が回動されるとき、各ローラ部材６４とピンチローラ６６との間に狭持されて排出されることとなる。
【００３３】
インクカートリッジ２７の記録ヘッド２６が記録動作を行わない場合、キャリッジ部材２２は、図２および図４に示されるように、インクカートリッジ２７を伴って所定の待機位置（ホームポジション）に移動せしめられる。その際、その待機位置に対向する位置には、記録ヘッド２６の正常な吐出状態を維持するために所定のタイミングをもって回復処理を行う回復処理装置６７が設けられている。さらに、本発明に係る画像形成装置の一例においては、加えて、図６に示されるように、記録ヘッド２６の動作制御を行う記録ヘッド動作制御部９０を含んで構成される制御ブロックを備えている。
【００３４】
制御ブロックは、上述のインクジェット記録装置とは別に設置されるホストコンピュータ８２からの画像データＤＧおよび制御データＤＣが供給される通信部８４と、通信部８４から転送された画像データＤＧを伝送路１００を介して選択的に格納するとともに、格納された画像データＤＧを選択的に送出する画像データメモリ部８６と、画像データメモリ部８６から読み出された画像データＤＭＧに対してデータ変換処理を行い記録動作制御データ群ＤＤを得る画像処理部８８と、伝送路１００を通じて画像データメモリ部８６、画像処理部８８、モータ駆動制御部９８、記録ヘッド動作制御部９０の動作制御を行う制御ユニット８０とを主な要素として構成されている。
【００３５】
通信部８４は、例えば、インターフェース回路（ＩＥＥＥ１２８４）を含んで構成され、ホストコンピュータ１００からの一走査分もしくは所定の数走査分ごとの画像データＤＧおよび制御データＤＣが供給されるとき、受信状態とされ、また、通信部８４は、制御ユニット８０からの画像データメモリ部８６の記憶容量をあらわすデータが供給されるとき、そのデータをホストコンピュータ８２に送出する送信状態とされる。
【００３６】
制御ユニット８０は、伝送路１００を通じて得られる制御データＤＣに基づいてモータ駆動制御部９８に、キャリッジ駆動用モータ９６および用紙搬送用モータ９４に所定の動作を行わせるための制御データ群ＤＭを供給するものとされる。また、制御ユニット８０は、信号処理部７４からのキャリッジ部材２２の移動量をあらわすデータＤｅおよびキャリッジ部材２２の移動方向をあらわすデータＤｄに基づいてキャリッジ部材２２の移動に同期した記録ヘッド２６の吐出タイミングデータＤＴを形成し、それを送出する。
【００３７】
モータ駆動制御部９８は、キャリッジ部材２２を所定距離、往復動させるべく、制御データ群ＤＭに基づいて駆動制御信号を形成し、それをキャリッジ駆動用モータ９６に供給するとともに、記録ヘッド２６の記録動作に応じて用紙Ｐａを断続的に所定距離搬送させるべく、制御データ群ＤＭに基づいて駆動制御信号を形成し、それを用紙搬送用モータ９４に供給する。
【００３８】
画像データメモリ部８６は、例えば、１画素あたり所定のビット数構成とされ、供給される画像データＤＧが順次、指定されたメモリアドレスごとに書き込まれ、また、画像データメモリ部８６は、指定されたメモリアドレスに格納された一走査分ごとの画像データＤＭＧを画像処理部８８に供給する。
【００３９】
画像処理部８８は、例えば、画像データメモリ部８６からの画像データＤＭＧに対して二値化処理を行う多値／二値変換部と、多値／二値変換部からの二値化処理されたデータの配列を記録ヘッド２６の吐出口の配列に合致させるためのラスターＢＪ変換を行うとともにレジ調整を行い、記録動作制御データ群ＤＤを記録ヘッド動作制御部９０に送出するレジ調整部とを含んで構成されている。
【００４０】
記録ヘッド動作制御部９０は、記録ヘッド２６およびキャリッジ部材２２が移動する場合、記録ヘッド２６に記録動作を行わせるべく、記録動作制御データ群ＤＤに基づき、制御ユニット８０からの吐出タイミングデータＤＴに同期させた駆動制御パルス信号ＰＢを形成し、それを記録ヘッド２６に対して供給する。これにより、記録ヘッド２６は、用紙Ｐａの記録面に対して記録動作を行うこととなる。
【００４１】
信号処理部７４は、例えば、微分回路およびアンド素子と、カウンタを含んで構成され、エンコーダ部７２からの互いに９０度位相のずれる２つの検出出力信号に基づいてパルス信号のパルス数を計数し、そのデータＤｅを送出するとともに、一方のパルス信号の立ち上がり時点における他方のパルス信号のレベルが高レベルであるか否かを判定することにより、キャリッジ部材２２の移動方向をあらわすデータＤｄを制御ユニット８０に送出する。
【００４２】
エンコーダ部７２は、図１および図５に示されるように、所謂、磁気式リニアエンコーダであり、ポリフェニレンスルフィド（ＰＰＳ）樹脂で成形されるキャリッジ部材２２の基部に設けられる略長方形の貫通孔２２ｂに挿入される磁気フィルム７０と、その貫通孔２２ｂの周縁部であって磁気フィルム７０の一方の面側に配置され磁気フィルム７０の磁界の変化を検出する磁気センサ６８とを含んで構成されている。
【００４３】
貫通孔２２ｂの高さは、約０．０３（ｍｍ）以上０．１（ｍｍ）以下の範囲で磁気フィルム７０の厚さよりも大に設定されている。これは、インクの吐出タイミングを決定する誘導電流の出力を安定した値にするためである。
【００４４】
磁気フィルム７０は、その両端部がフレーム部材２０Ｆの両側部にそれぞれ固定される板ばねＬＢ、フック部材ＦＢに連結されることにより支持されている。これにより、磁気フィルム７０は、ガイドシャフト２４の軸線に対して平行にその他方の表面を上方に向けて支持されている。
【００４５】
磁気フィルム７０は、母材層７７と、母材層７７における磁気センサ６８に近接する側の表面上に形成される磁気層７８と、磁気層７８を被覆する保護層７９と、母材層７７における磁気センサ６８から離隔する側の表面上に形成されるプライマ層７６と、プライマ層７６および母材層７７を被覆する被覆層としてのフッ素樹脂層７５とを含んで構成されている。
【００４６】
母材層７７は、例えば、熱可塑ポリエステル（ＰＥＴ）で厚さ約２５０（μｍ）に均一に形成されている。なお、母材層７７は、熱可塑ポリエステルに限られることなく、ポリカーボネート、ポリスチレン、ポリプロピレンであってもよい。
【００４７】
磁気層７８は、母材層７７と接着剤Ａｄにより接着されている。磁気層７８は、例えば、厚さ約１２（μｍ）を有している。磁気層７８は、長手方向に沿って所定のピッチの磁極間隔、例えば、０．２１２（ｍｍ）でＮ極とＳ極とが交互に配列形成されている。
【００４８】
保護層７９は、例えば、ポリウレタンで厚さ約２．５（μｍ）に均一に形成されている。保護層７９は、耐摩耗性を確保するために硬化処理されている。その硬化処理は、例えば、６０度で６０時間、加熱処理するものとされる。６０度で加熱されるのは、母材層７７の耐熱性を考慮したものである。
【００４９】
プライマ層７６は、フッ素樹脂層７５の母材層７７に対する付着力を高めるために形成されるものであり、例えば、厚さ約１０（μｍ）を有している。プライマ層７６は、エポキシ樹脂を主な成分とされる材料で形成されている。その材料は、ふたつのプライマ剤の混合物である。
【００５０】
一方のプライマ剤の成分は、エポキシ樹脂、顔料、エチレングリコールモノメチルエーテル、メチルエチルケトン、トルエン、キシレン、エチレングリコールモノエチルアセテート、エチレングリコールモノエチルエーテルが、それぞれ、２０〜３０（％）、１〜１０（％）、２５〜３５（％）、１０〜２０（％）、１０〜２０（％）、１〜１０（％）、１〜１０（％）、１〜１０（％）含まれるものとされる。
【００５１】
また、他方のプライマ剤の成分は、ポリアミド樹脂、エチレングリコールモノメチルエーテル、トルエン、キシレン、イソプロピルアルコールが、それぞれ、２０〜３０（％）、４５〜５５（％）、５〜１５（％）、５〜１５（％）、５〜１５（％）含まれるものとされる。なお、その混合物は、一方のプライマ剤と他方のプライマ剤とが４：１の割合で混合されるものである。
【００５２】
プライマ層７６が６０度で３０分間乾燥された後、フッ素樹脂層７５がプライマ層７６上に約５（μｍ）の厚さで均一に形成される。
【００５３】
フッ素樹脂層７５は、耐熱性高分子材料を結合剤とし、フッ素樹脂粉末を潤滑剤とした固体被膜潤滑塗料とされる。フッ素樹脂層７５の成分は、ポリアミドイミド樹脂、フッ素樹脂、顔料、ジオキサン、キシロール、（ＤＭＡＣ）が、それぞれ、１０〜１６（％）、２〜４（％）、２〜４（％）、１０〜２０（％）、１０〜２０（％）、５０〜６０（％）含まれるものとされる。なお、フッ素樹脂層７５は、６０度で３０分間、乾燥焼き付けられてプライマ層７６上に形成される。
【００５４】
このようにフッ素樹脂層７５がプライマ層７６上に形成されることにより、プライマ層７６の表面粗さが母材層７７の表面粗さに比して大なる表面粗さを有するのでフッ素樹脂層７５が直接的に母材層７７の表面層に形成される場合に比してフッ素樹脂層７５の剥離強度が向上されることとなる。
【００５５】
従って、磁気フィルム７０における磁気センサ６８に近接する側の外周面は、保護層７９により形成されるのでキャリッジ部材２２の摺動により摩耗する虞がなく、また、磁気フィルム７０における磁気センサ６８から離隔する側の外周面は、耐摩耗性、耐インク性、撥水性にも優れたフッ素樹脂層７５が形成されるのでキャリッジ部材２２の磁気フィルム７０に対する相対的な摺動がより円滑となり磁気フィルム７０の振動が抑制されることとなる。
【００５６】
図７は、磁気フィルム７０の他の例を示す。
【００５７】
図１に示される例では、磁気フィルム７０における磁気センサ６８に近接する側には、保護層７９が形成されているが、図７においては、加えて、フッ素樹脂層１１４が、プライマ層１１２を介して保護層７９上に形成されるものとされる。なお、図７においては、図１に示される例において同一とされる構成要素については同一の符号を付して示し、その重複説明を省略する。
【００５８】
プライマ層１１２の厚さは、上述のプライマ層７６の厚さと同様とされ、また、プライマ層１１２の成分もプライマ層７６と同様とされる。
【００５９】
フッ素樹脂層１１４の厚さは、上述のフッ素樹脂層７５と同様な厚さとされ、また、フッ素樹脂層１１４の成分も、フッ素樹脂層７５と同様な成分とされる。
【００６０】
従って、図７に示される例においても、耐摩耗性、耐インク性、撥水性にも優れたフッ素樹脂層１１４が形成されるので磁気フィルム１１０における磁気センサ６８に近接する側の外周面においては、キャリッジ部材２２の磁気フィルム１１０に対する相対的な摺動がより円滑となり磁気フィルム１１０の振動が抑制されることとなる。
【００６１】
【発明の効果】
以上の説明から明らかなように、本発明に係るエンコーダ装置、および、それが用いられる画像形成装置によれば、被検出部の一対の外表面のうち一方の外表面または双方の外表面を、フッ素樹脂を含む材料で被覆する被覆層を備えるのでエンコーダ装置の各構成要素の配置を変更することなく、被検出部の耐摩耗性、撥水性、および、摺動性を向上させることができる。また、フッ素樹脂を含む材料で形成される被覆層が複数のプライマ剤からなる混合物によるプライマ層上に形成されることにより、プライマ層の表面粗さが母材の表面粗さに比して大なる表面粗さを有するので被覆層の母材に対する剥離強度を向上させることができる。
【図面の簡単な説明】
【図１】本発明に係るエンコーダ装置の一例の要部を示す部分断面図である。
【図２】本発明に係る画像形成装置の一例の概略構成の要部を示す斜視図である。
【図３】図２に示される例における部分断面図である。
【図４】図２に示される例における平面図である。
【図５】図２に示される例における要部を拡大して示す斜視図である。
【図６】図２に示される例に備えられる制御ブロックを示すブロック図である。
【図７】本発明に係るエンコーダ装置の他の一例の要部を示す部分断面図である。
【図８】従来のエンコーダ装置の要部を示す部分断面図である。
【符号の説明】
２２  キャリッジ部材
２６  記録ヘッド
６８  磁気センサ
７０，１１０  磁気フィルム
７２  エンコーダ部
７４  信号処理部
７５，１１４  フッ素樹脂層
７６，１１２  プライマ層
７７  母材層
【図１】
0003720600.tif 000002
【図２】
0003720600.tif 000003
【図３】
0003720600.tif 000004
【図４】
0003720600.tif 000005
【図５】
0003720600.tif 000006
【図６】
0003720600.tif 000007
【図７】
0003720600.tif 000008
【図８】
0003720600.tif 000009